(57)【要約】【課題】回転ドラム内で洗濯、すすぎ、脱水などの各行程を逐次制御するドラム式洗濯機において、回転ドラムの軸受およびモータを小型、コンパクトにし、スペース効率がよいドラム式洗濯機を実現する。【解決手段】略水平方向または略傾斜方向に回転軸１６を有する回転ドラム１４を水槽１３に内包し、水槽１３の開口部にドア１５を設け、回転ドラム１４をモータ１８により駆動する。モータ１８は、水槽１３の中心より偏芯した位置に配置し、回転ドラム１４を軸支する２個の軸受１７の中間に設けた従動側プーリー２０を介して回転ドラム１４を駆動するよう構成する。【選択図】　図１
2004105267.tif 000002
【特許請求の範囲】
【請求項１】
略水平方向または略傾斜方向に回転軸を有する回転ドラムと、前記回転ドラムを内包する水槽と、前記水槽の開口部に設けたドアと、前記回転ドラムを駆動するモータとを備え、前記モータは、前記水槽の中心より偏芯した位置に配置し、前記回転ドラムを軸支する２個の軸受の中間に設けたプーリーを介して前記回転ドラムを駆動するよう構成したドラム式洗濯機。
【請求項２】
回転ドラムを駆動する軸とモータとの間に、プーリーによる減速機構に代えて、歯車による減速機構を設けた請求項１記載のドラム式洗濯機。
【発明の詳細な説明】
【０００１】
【発明の属する技術分野】
本発明は、回転ドラム内で洗濯、すすぎ、脱水などの各行程を逐次制御するドラム式洗濯機に関するものである。
【０００２】
【従来の技術】
従来、この種のドラム式洗濯機は図３に示すような構成であった。以下、その構成について説明する。
【０００３】
図３に示すように、筐体１は、内部に複数のサスペンション（図示せず）とダンパー２とで水槽３を支持し、水槽３内に回転ドラム４を回転自在に配設し、水槽３の開口部をドア５により開閉するようにしている。
【０００４】
回転ドラム４の後面に軸６を突出させ、この軸６を間隔を隔てて設けて２個の軸受７により軸支し、回転ドラム４を片持ち支持している。モータ８は水槽３の後面に取り付け、ロータ９を回転ドラム４の軸６に直接固定し、回転ドラム４をモータ８により直接駆動するよう構成している。
【０００５】
上記構成において動作を説明する。回転ドラム４内に洗濯物を投入し洗濯行程を開始すると、給水弁（図示せず）が開き、水槽３内に所定の水位まで給水する。つぎに、モータ８を駆動して回転ドラム４を約５０ｒ／ｍｉｎで駆動し、投入された衣類は回転ドラム４内で持ち上げられては落下を繰り返し、洗剤水と水面に落下したときの機械力によって洗浄される。
【０００６】
洗濯が終わると排水ポンプ（図示せず）を駆動し、水槽３内の洗濯水を排水経路（図示せず）を通して排水する。排水が終わると、回転ドラム４を約１０００ｒ／ｍｉｎで高速回転して脱水を行い、脱水行程が終了する。乾燥機能付きのものにあっては、さらに乾燥行程へ移行する。
【０００７】
【発明が解決しようとする課題】
このような従来の構成では、回転ドラム４を片持ち支持しているため、回転ドラム４を軸支する軸受７に多大な横加重が加わる。このため、軸受７は非常に頑丈に構成しており、２個の軸受７は洗濯時にかかる大きな偏荷重を支える必要があり、２個の軸受７の間にある程度空間を持たせる必要があった。このため製品全体に占める大きさもきわめて大きく、スペースをとるという問題を有していた。
【０００８】
また、モータ８も直接駆動方式をとるため、形状的にも大きく、また、大きな軸受７と同心上に配置する必要があり、厚さ方向に大きなスペースをとっていた。このため、洗濯物を入れる回転ドラム４は奥行きが短くなり、必然的に容量が小さくなるという問題を有していた。
【０００９】
また、モータ８については、回転ドラムを直接駆動するため、回転数が低い領域で使用しなければならず、効率が悪く、必然的に大きくなるという問題を有していた。
【００１０】
本発明は上記従来の課題を解決するもので、回転ドラムの軸受およびモータを小型、コンパクトにし、スペース効率がよいドラム式洗濯機を実現することを目的としている。
【００１１】
【課題を解決するための手段】
本発明は上記目的を達成するために、略水平方向または略傾斜方向に回転軸を有する回転ドラムを水槽に内包し、水槽の開口部にドアを設け、回転ドラムをモータにより駆動するよう構成し、モータは、水槽の中心より偏芯した位置に配置し、回転ドラムを軸支する２個の軸受の中間に設けたプーリーを介して回転ドラムを駆動するよう構成したものである。
【００１２】
これにより、軸方向のスペースを増やすことなく、スペースを有効に使用して減速用のプーリーを組み込むことができ、減速機構を組み込むことにより、モータをより回転数が高い領域で使用することができて、モータを小型、コンパクトにでき、スペース効率がよいドラム式洗濯機を実現することができる。
【００１３】
【発明の実施の形態】
本発明の請求項１に記載の発明は、略水平方向または略傾斜方向に回転軸を有する回転ドラムと、前記回転ドラムを内包する水槽と、前記水槽の開口部に設けたドアと、前記回転ドラムを駆動するモータとを備え、前記モータは、前記水槽の中心より偏芯した位置に配置し、前記回転ドラムを軸支する２個の軸受の中間に設けたプーリーを介して前記回転ドラムを駆動するよう構成したものであり、軸方向のスペースを増やすことなく、減速用のプーリーを組み込むことができ、減速機構を組み込むことにより、モータをより回転数が高い領域で使用することができ、必要なトルクを小さくできて、モータの効率が上がり、その結果、小さいモータで駆動することができ、このためモータの大きさが小さくなり、スペース効率を高くすることができ、また、小さいモータを使用することができるため、コストを低く抑えることができる。
【００１４】
請求項２に記載の発明は、上記請求項１に記載の発明において、回転ドラムを駆動する軸とモータとの間に、プーリーによる減速機構に代えて、歯車による減速機構を設けたものであり、歯車による減速機構により、モータをより回転数が高い領域で使用することができ、必要なトルクを小さくできて、モータの効率が上がり、その結果、小さいモータで駆動することができ、このためモータの大きさが小さくなり、スペース効率を高くすることができ、また、小さいモータを使用することができるため、コストを低く抑えることができる。
【００１５】
【実施例】
以下、本発明の一実施例について、図面を参照しながら説明する。
【００１６】
図１に示すように、筐体１１は、内部に複数のサスペンション（図示せず）とダンパー１２とで水槽１３を支持し、水槽１３内に回転ドラム１４を回転自在に配設し、水槽１３の開口部をドア１５により開閉するようにしている。
【００１７】
回転ドラム１４の後面に回転軸１６を突出させ、この回転軸１６を間隔を隔てて設けて２個の軸受１７により軸支し、回転ドラム１４を片持ち支持している。モータ１８は、回転ドラム１４を駆動するもので、図２に示すように、水槽１３の中心より偏芯した位置に配置し、モータ軸に駆動側プーリー１９を固定している。従動側プーリー（プーリー）２０は回転ドラム１４を軸支する２個の軸受１７の中間に設け、駆動側プーリー１９と従動側プーリー２０との間にベルト２１を張設して回転ドラム１４をモータ１８により駆動するよう構成している。
【００１８】
上記構成において動作を説明する。回転ドラム１４内に洗濯物を投入し洗濯行程を開始すると、給水弁（図示せず）が開き、水槽１３内に所定の水位まで給水する。つぎに、モータ１８を駆動して回転ドラム１４を約５０ｒ／ｍｉｎで駆動し、投入された衣類は回転ドラム１４内で持ち上げられては落下を繰り返し、洗剤水と水面に落下したときの機械力によって洗浄される。
【００１９】
洗濯が終わると排水ポンプ（図示せず）を駆動し、水槽１３内の洗濯水を排水経路（図示せず）を通して排水する。排水が終わると、回転ドラム１４を約１０００ｒ／ｍｉｎで高速回転して脱水を行い、脱水行程が終了する。乾燥機能付きのものにあっては、さらに乾燥行程へ移行する。
【００２０】
ここで、モータ１８を水槽１３の中心より偏芯した位置に配置し、回転ドラム１４を軸支する２個の軸受１７の中間に設けた従動側プーリー２０を設けることにより、軸方向のスペースを増やすことなく、スペースを有効に使用して減速用のプーリーを組み込むことができる。また、本実施例のように、使い勝手を向上するために、回転ドラム１４を上向きに傾けて配置する場合は、図から明らかなように、最大高さ部（モータ部）が中心から下方に偏芯するため、厚み方向がより短くなり、回転ドラム１４の内容積を大きくすることができる。
【００２１】
また、モータ軸に駆動側プーリー１９を固定し、回転ドラム１４を軸支する２個の軸受１７の中間に駆動側プーリー１９を設け、駆動側プーリー１９と従動側プーリー２０との間にベルト２１を張設して回転ドラム１４をモータ１８により駆動することにより、モータ１８の回転数を直接駆動する場合に比較して減速比によるが３〜５倍大きく取ることができる。
【００２２】
モータ１８を減速して使用した場合、出力側のトルクはそのときのモータ１８のトルクに減速比をかけたものになる。すなわち、減速比が１：４の場合は直接駆動方式のモータに比較して１／４のトルクしかモータ１８は必要としない。このため、直接駆動方式に比較して小さなモータでよいことになる。
【００２３】
また、洗濯行程での回転ドラム１４の回転数は約５０ｒ／ｍｉｎ程度と低く、この領域ではモータの効率が非常に悪いが、減速することにより、モータ１８の回転数は減速比の分高くできる。すなわち、１／４の減速比の場合、モータ１８の回転数は約２００ｒ／ｍｉｎとなり、効率が直接駆動方式に比べて著しく改善される。
【００２４】
なお、本実施例では、回転ドラム１４は略傾斜方向に回転軸を有しているが、略水平方向に回転軸を有する回転ドラムであってもよく、同様の作用効果を得ることができる。
【００２５】
また、本実施例では、回転ドラム１４を駆動する回転軸１６とモータ１８との間に、駆動側プーリー１９と従動側プーリー２０による減速機構を設けているが、これに代えて、歯車による減速機構を設けてもよく、同様の作用効果を得ることができる。
【００２６】
【発明の効果】
以上のように、本発明の請求項１に記載の発明によれば、回転ドラムを駆動するモータを水槽の中心より偏芯した位置に配置し、回転ドラムを軸支する２個の軸受の中間に設けたプーリーを介して回転ドラムを駆動するよう構成することにより、軸方向のスペースを増やすことなく、スペースを有効に使用して減速用のプーリーを組み込むことができ、減速機構を組み込むことにより、モータをより回転数が高い領域で使用することができて、モータを小型、コンパクトにでき、スペース効率がよいドラム式洗濯機を実現することができる。
【図面の簡単な説明】
【図１】本発明の一実施例のドラム式洗濯機の断面図
【図２】同ドラム式洗濯機の要部背面図
【図３】従来のドラム式洗濯機の断面図
【符号の説明】
１３　水槽
１４　回転ドラム
１５　ドア
１６　回転軸
１８　モータ
１７　軸受
２０　従動側プーリー（プーリー）
【図１】
2004105267.tif 000003
【図２】
2004105267.tif 000004
【図３】
2004105267.tif 000005